(57)【要約】【課題】端子や平型導体が外力を受けても端子と平型導体との結線箇所に応力をもたらさない平型導体付電気コネクタを提供することを課題とする。【解決手段】接触部５３Ａを前部にそして可撓な平型導体２Ａ，２Ｂの対応導線が結線される結線部５９Ａを後部に有する複数の端子５０をハウジング１０に収容する平型導体付電気コネクタにおいて、ハウジング１０は端子を収容する端子収容部２５と、平型導体を配置する導体配置面２７Ａ，２７Ｂと、端子の結線部５９Ａから後方に延びる平型導体での移動を規制するように設けられた導体係止部２９Ａ，２９Ｂとを有し、上記ハウジング１０は、上記端子収容部２５と導体係止部２９Ａ，２９Ｂとの間で導体配置面２７Ａ，２７Ｂに対して直交する方向に拡がり平型導体に曲部２Ａ−２，２Ｂ−２の形成を許容する曲部受け空間２８Ａ，２８Ｂを形成している。【選択図】図２
2016076318.tif 000002
【特許請求の範囲】
【請求項１】
接触部を前部にそして可撓な平型導体の対応導線が結線される結線部を後部に有する複数の端子をハウジングに収容する平型導体付電気コネクタにおいて、
ハウジングは端子を収容する端子収容部と、平型導体を配置する導体配置面と、端子の結線部から後方に延びる平型導体の移動を規制するように設けられた導体係止部とを有し、
上記ハウジングは、上記端子収容部と導体係止部との間で導体配置面に対して直交する方向に拡がり平型導体に曲部の形成を許容する曲部受け空間を形成していることを特徴とする平型導体付電気コネクタ。
【請求項２】
ハウジングの導体係止部は、平型導体に孔状もしくは切欠状に形成された被係止部に係止する突起部として形成されていることとする請求項１に記載の平型導体付電気コネクタ。
【請求項３】
ハウジングの曲部受け空間は、導体配置面のレベルよりも没した凹部もしくは段部として形成されていることとする請求項１に記載の平型導体付電気コネクタ。
【請求項４】
ハウジングは、端子を収容し平型導体が配置されるハウジング本体と、該ハウジング本体を覆うカバー体とを有していることとする請求項１ないし請求項３のうちの一つに記載の平型導体付電気コネクタ。
【請求項５】
ハウジングのカバー体は、導体配置面と平行な面で分割形成させて、ハウジング本体を挟むように位置する二つの半カバー体で形成されていることとする請求項４に記載の平型導体付電気コネクタ。
【請求項６】
ハウジング本体に端子収容部、導体配置面そして曲部受け空間が形成され、半カバー体に導体係止部が形成されていることとする請求項５に記載の平型導体付電気コネクタ。
【請求項７】
ハウジングは、対向する二つの面のそれぞれに平型導体を配置するように、端子収容部、導体配置面そして曲部受け空間をそれぞれ対をなして有していることとする請求項１ないし請求項６のうちの一つに記載の平型導体付電気コネクタ。
【発明の詳細な説明】
【技術分野】
【０００１】
本発明は平型導体付電気コネクタに関する。
【背景技術】
【０００２】
複数の芯線を平行に並べて平帯状にしたＦＰＣ，ＦＦＣや多極細線同軸線などの平型導体が電気コネクタに接続される場合、平型導体は端子に半田等で結線されることが必要となることがある。このような端子と平型導体の結線が行われるコネクタにあっては、平型導体がその長手方向の外力を受けると、その力がそのまま端子と平型導体との結線箇所に伝達され、その結果、結線箇所の損傷、結線外れ等の不具合が生ずる虞れがある。
【０００３】
かかる不具合を回避するために、特許文献１では、平型導体に複数の嵌合孔を形成し、一方、コネクタには、ハウジングの平型導体載置面に複数の嵌合突起を設け、該嵌合突起を上記平型導体の嵌合孔に嵌合させて係止することで、平型導体がその長手方向に外力を受けても移動せず、外力が端子と平型導体との結線箇所に伝達されることを阻止している。
【先行技術文献】
【特許文献】
【０００４】
【特許文献１】特開２０１０−１０２８４７
【発明の概要】
【発明が解決しようとする課題】
【０００５】
しかしながら、特許文献１のように、平型導体に複数の嵌合孔を形成して、該嵌合孔でハウジングの嵌合突起に嵌合させて保持するようにしても、平型導体に外力が加わったとき、端子と平型導体との結線箇所は十分に保護されることにはならない。
【０００６】
ハウジングは樹脂を成形して作られるので、嵌合突起の位置精度そして寸法精度はかなり良い。しかし、平型導体は、上記嵌合孔部分が補強板で補強されていても、嵌合孔はパンチにより穿孔形成されるし、その際、平型導体の剪断力のもとで若干の変形もあり、嵌合孔は上記嵌合突起に比し、位置精度そして径寸法についての寸法精度は低い。嵌合孔を若干小さ目にして嵌合突起に対し過度に締めるように嵌合させると、平型導体に変形を生ずる原因ともなるので、上記寸法精度を考慮して隙間をもつ孔径として緩めに嵌合させることとなる。かかる状態で、平型導体に外力、例えば、引張り力が作用すると、平型導体は少なくとも上記隙間の分だけ移動する。平型導体は、通常、上記嵌合孔と結線箇所との間の殆どの範囲に補強板が存在しているので、上記隙間の分だけの移動はそのまま結線箇所に伝わる傾向にある。隙間の寸法は小さくとも、それと同じだけの変形が結線箇所に生ずると、結線箇所に大きな応力をもたらして、半田等で強度の低いこの結線箇所の破壊が生じかねない。
【０００７】
一方、平型導体が結線される端子は、ハウジングに形成された端子孔あるいは端子溝に収容されているが、通常、ハウジングに対してコネクタ嵌合方向、すなわち、平型導体の長手方向で、若干の移動自由度がある。したがって、コネクタが相手コネクタとの挿抜の際、上記移動自由度の分だけ端子が移動することとなり、この移動量が端子と平型導体の結線箇所にそのまま伝わり、ここでも、結線箇所の破壊の虞れを生ずる。
【０００８】
本発明は、このような事情に鑑み、ハウジングによる平型導体の係止部分での隙間、あるいは端子のハウジングでの移動自由度があっても、平型導体が外力を受けた場合、あるいは端子が相手端子との挿抜の際に移動自由度の分だけ移動した場合においても、端子と平型導体との結線箇所に何ら力を及ぼすことのない、平型導体付電気コネクタを提供することを課題とする。
【課題を解決するための手段】
【０００９】
本発明に係る平型導体付電気コネクタは、接触部を前部にそして可撓な平型導体の対応導線が結線される結線部を後部に有する複数の端子をハウジングに収容する。
【００１０】
かかる平型導体付電気コネクタにおいて、本発明では、ハウジングは端子を収容する端子収容部と、平型導体を配置する導体配置面と、端子の結線部から後方に延びる平型導体に該平型導体の長手方向での移動を規制するように設けられた導体係止部とを有し、上記ハウジングは、上記端子収容部と導体配置面との間で導体配置面に対して直交する方向に拡がり平型導体に曲部の形成を許容する曲部受け空間を形成していることを特徴としている。
【００１１】
このような構成の本発明のコネクタによると、平型導体に外力、例えば引張り力が作用した場合、平型導体はハウジングの導体係止部により移動が規制されるが、その際、仮に平型導体がこの導体係止部と隙間をもって係止可能になっていて、隙間の分だけ移動しても、その移動量は平型導体の曲部での撓み変位として吸収され、結線部には力が伝わらない。
【００１２】
一方、端子が相手コネクタとの挿抜の際、ハウジングに対する移動自由度の分だけ移動しても、結線部から延びる平型導体に曲部があるので、結線部での移動量はこの曲部の変位として吸収され、結線部には何ら作用しない。
【００１３】
本発明において、ハウジングの導体係止部は、平型導体に孔状もしくは切欠状に形成された被係止部に係止する突起部として形成されているようにすることができる。このような形態にあっては、孔状もしくは切欠状の被係止部と突起部との間に隙間があっても、平型導体が外力を受けた際のこの隙間による平型導体の移動量は上記平型導体の曲部での変位として吸収されるので、被係止部は多少隙間を大きくしても支障なく、被係止部は高い寸法精度が要求されない。
【００１４】
本発明において、ハウジングの曲部受け空間は、導体配置面のレベルよりも没した凹部もしくは段部として形成されることできる。すなわち、平型導体の曲部は、上記凹部もしくは段部の隅空間に、弯曲して収められる。
【００１５】
本発明において、ハウジングは、端子を収容し平型導体が配置されるハウジング本体と、該ハウジング本体を覆うカバー体とを有しているようにすることができる。ハウジングをハウジング本体とカバー体の二部材とすることで、平型導体が結線された端子のハウジング本体への取付けを行った後にカバー体を組めばよいので、組立作業が容易となる。
【００１６】
本発明において、ハウジングのカバー体は、導体配置面と平行な面で分割形成させて、ハウジング本体を挟むように位置する二つの半カバー体で形成されているようにしてもよい。二つの半カバー体として形成すれば構成部品点数が増すが、端子そして平型導体をハウジング本体に取り付けた後の組立ては、二つの半カバー体がハウジング本体を挟持するようにして行えるので、組立作業が簡単となる。
【００１７】
本発明において、端子収容部、導体配置面そして曲部受け空間のすべてをハウジング本体に設けなくとも、ハウジング本体に端子収容部、導体配置面そして曲部受け空間が形成され、カバー体に導体係止部が形成されているようにしてもよい。
【００１８】
さらに、本発明において、ハウジングは、対向する二つの面のそれぞれに平型導体を配置するように、端子収容部、導体配置面そして曲部受け空間をそれぞれ対をなして有しているようにすることができ、一つのコネクタで二つの平型導体を保持可能とする。
【発明の効果】
【００１９】
本発明は、以上のように、端子に平型導体が結線されている平型導体付電気コネクタにおいて、端子収容部を有するハウジングに、平型導体配置のための導体配置面と導体係止部を設けるとともに、端子収容部と導体配置面の間に平型導体の曲部受け空間を形成することとしたので、平型導体に外力が加わった場合、端子が相手コネクタの挿抜時に端子収容部での移動自由度の分だけ移動した場合のいずれにおいても、平型導体の移動量そして端子の移動量を上記平型導体の曲部での撓み変位として吸収でき、その結果、端子と平型導体の結線部には何ら力が及ばなくなる。
【図面の簡単な説明】
【００２０】
【図１】本発明の第一実施形態の平型導体付電気コネクタの外観を示す斜視図である。
【図２】図１のコネクタを、各部材を分離して示す斜視図である。
【図３】図１のコネクタの端子位置での縦断面図である。
【図４】図１のコネクタの端子のみを抽出して示す斜視図である。
【図５】図１の要部についての拡大縦断面図で、（Ａ）は正規状態、（Ｂ）は端子が後方へ外力を受けた状態、（Ｃ）は平型導体が前方へ外力を受けた状態を示す。
【図６】本発明の第二実施形態を示し、（Ａ）は各部材を分離して示す斜視図、（Ｂ）は要部についての端子同士間位置での縦断面図である。
【図７】本発明の第三実施形態についての要部拡大断面図で、（Ａ）は正規状態、（Ｂ）は端子が後方へ外力を受けた状態、（Ｃ）は平型導体が前方へ外力を受けた状態を示す。
【発明を実施するための形態】
【００２１】
以下、添付図面にもとづき、本発明の実施の形態を説明する。
【００２２】
図１において、本実施形態の平型導体付電気コネクタは、平型導体用コネクタ１と、これに接続され後方に延びる平型導体２（２Ａ及び２Ｂ）とを有している。
【００２３】
上記コネクタ１は、図２に見られるように、平型導体２Ａ，２Ｂが結線される複数の端子５０と、該端子５０を保持し、平型導体２Ａ，２Ｂの前後方向での移動を規制するハウジング１０とを有している。本実施形態では、該ハウジング１０は、端子５０を直接保持するハウジング本体２０と該ハウジング本体２０に装着されるカバー体４０とから成っている。
【００２４】
上記ハウジング本体２０は、電気絶縁材料で作られていて、該ハウジング本体２０の上下両面側で端子５０を収容し、該端子５０に結線された平型導体２Ａ，２Ｂが配置されるようになっている。
【００２５】
ハウジング本体２０は、図２に見られるように、前半部（図にて左方部）で、コネクタ幅方向両端で前後に延びる側端壁２１が、その高さ方向中央位置で前後方向そしてコネクタ幅方向に延びる端子配置板部２２により連結されている。上記両方の側端壁２１は、前後方向中間部で上記端子配置板部２２から上下方向で離間する位置で、バー状をなして上記コネクタ幅方向に延びる端子係止部２３でも連結されている。該端子係止部２３よりも前方域では、上記端子配置板２２の上面そして下面から立ち上がり前後に延びる複数の溝隔壁２４が、所定間隔でコネクタ幅方向に配列形成されている。コネクタ幅方向で隣接する溝隔壁２４同士間で後述の端子５０の接触部を収容する端子収容部２５が形成されている。上記バー状の端子係止部２３より後方には上記溝隔壁２４は存在しておらず、上記端子収容部２５は上記端子係止部２３より後方では、端子配置板部２２の上面そして下面に形成された開放空間２６に連通するように開口している。上記端子収容部２５は、端子配置板部２２に対して上下対称の形態に形成されている。
【００２６】
上記ハウジング本体２０は、上記側端壁２１の前端から若干距離をおいた位置から前方へ向けての領域が平型導体２Ａ，２Ｂを配置する導体配置面２７を形成している。この導体配置面２７における形態は、上記端子収容部２５が上下対称であったのに対し、上下対称部分と上下非対称をなしている。
【００２７】
上記ハウジング本体２０は、その上面側そして下面側に開放空間２６の後端位置を境界づけるように端子配置板部２２から起立し該端子配置板部２２と平行に該ハウジング本体２０の前端まで延びる面で導体配置面２７（上面側の導体配置面２７Ａそして下面側の導体配置面２７Ｂ）が形成されている（図３をも参照）。上面側では上記導体配置面２７Ａの前部に凹状の曲部受け空間２８Ａが、そして下面側では上記導体配置面２７Ｂの後部に凹状の曲部受け空間２８Ｂが形成されている。かくして、上下非対称をなすように、互いに前後して位置する上面側の曲部受け空間２８Ａと下面側の曲部受け空間２８Ｂは、後述する平型導体２の対応部分に形成される曲部を収容するのに足りる大きさの空間をなしていて、コネクタ幅方向では、該平型導体２の幅寸法よりも大きい範囲にわたり形成されている。また、上記二つの曲部受け空間２８Ａ，２８Ｂの両者は、図３に見られるように、その深さ方向（すなわち上下方向）で重複範囲を有していて両者を区画形成している境界壁部は横Ｓ字をなしている。
【００２８】
上記上面側の導体配置面２７Ａと下面側の導体配置面２７Ｂのそれぞれの前端位置、すなわちハウジング本体２０の後端位置には、該導体配置面２７Ａそして導体配置面２７Ｂのそれぞれに配置された平型導体２Ａ，２Ｂの移動を規制するための突起状の導体係止部２９Ａ，２９Ｂが設けられている。該導体係止部２９Ａ，２９Ｂのそれぞれは、コネクタ幅方向両端寄りの二位置で導体配置面２７Ａ，２７Ｂから突出していて、該導体係止部２９Ａ，２９Ｂの前面側には、導体配置面２７Ａ，２８Ｂとの間に係止溝２９Ａ−１，２９Ｂ−１が前方に向け開口するように形成されている。突起状の上記導体係止部２９Ａ，２９Ｂは、後述の平型導体２Ａ，２Ｂ穿設形成された孔状の被係止部２Ａ−１，２Ｂ−１へ隙間をもって突入する位置及び大きさに形成されている。また、係止溝２９Ａ−１，２９Ｂ−１は、導体配置面２７Ａ，２７Ｂに配置された平型導体２Ａ，２Ｂがその被係止部２Ａ−１，２Ｂ−１で上記導体係止部２９Ａ，２９Ｂに嵌合した後に、平型導体２Ａ，２Ｂが後方へ引かれた際に、該平型導体２Ａ，２Ｂの被係止部２Ａ−１，２Ｂ−１の孔周縁のうち前縁が該係止溝２９Ａ−１，２９Ｂ−１に入り込んで係止するようになっている。
【００２９】
上記ハウジング本体２０は、さらに、その後端面で、コネクタ幅方向両端側位置に、上記導体配置面２７Ａ，２７Ｂから上方そして下方に、さらには側方に突出する位置決め片３０が設けられているとともに、該位置決め片３０の側縁部から上記ハウジング本体２０の側面に並行に前方へ延出するロック片３１が設けられており、該ロック片３１にはロック孔３１Ａが形成されている。上記位置決め片３０は後述するカバー体４０へハウジング本体２０が挿入組立てされる際に、上記カバー体４０の対応部分と当接して挿入深さ位置を定める機能を有し、上記ロック片３１は弾性を有していて、カバー体４０に設けられた対応ロック部に係合してハウジング本体２０の抜けを防止するロック機能を有する。
【００３０】
カバー体４０は、ハウジング本体２０と同様に、電気絶縁材料で作られていて、前面に前壁４１を有し後方に開口する筒状体をなしていて、内部にハウジング本体２０を後方から受け入れる受入部４２が形成されている（図３参照）。
【００３１】
上記前壁４１には、相手コネクタ（図示せず）の端子が挿入する端子孔４１Ａがハウジング本体２０の端子収容部２５に対応する位置に形成されている。
【００３２】
上記受入部４２は、端子５０が装着された上記ハウジング本体２０を受け入れるに好適な形状そして寸法に形成されており、上記前壁４１の背面から四角筒状をなして後方に延びる受入前部４３と、該受入前部４３の後方に位置する受入後部４４とを有している。上記受入前部４３は、端子５０の平型導体との結線部５９Ａを収容するように中間部で傾斜部４３Ａを経て上下方向での空間高さ寸法を拡大している。
【００３３】
上記受入後部４４は、上記受入前部４３の拡大された後部の内面をそのまま後方に延長して形成されているが、その後部で平型導体への補強板が取り付けられた箇所を収容するように、傾斜部４４Ａを経て上下方向での空間高さ寸法を拡大している。
【００３４】
上記受入後部４４は、その後端で、ハウジング本体２０に突起状に形成された導体係止部２９Ａ，２９Ｂにコネクタ幅方向で対応する位置に、該導体係止部２９Ａ，２９Ｂが進入するための溝部４５Ａ，４５Ｂが後方に向け開口して形成されている。本実施形態では、上方の溝部４５Ａが下方の溝部４５Ｂよりも前方に向け深く形成されている。
【００３５】
カバー体４０は、さらに、その両方の側壁外面の前端寄り位置に、上記ハウジング本体２０のロック片３１を案内する溝が形成された案内ブロック４６Ａと、該ロック片３１に形成されたロック孔３１Ａがロック係止するためのロック突起４６Ｂが設けられている。
【００３６】
さらに、上記カバー体４０には、図１及び図２に見られるように、その外面に、相手コネクタ（図示せず）との嵌合案内や誤嵌合防止のためのガイド突条部４７そして相手コネクタとの嵌合時のロックのために上記ガイド突条部４８に設けられた突起状のロック部４８Ａ、さらに相手コネクタの嵌合深さを規制する規制壁４９が設けられているが、いずれも、本願発明の要旨ではないので、これ以上の説明は省略する。
【００３７】
次に、端子５０は、図４に見られるように、金属板を屈曲して作られていて、その外形は前後に延びる略四角筒状をなしている。図４には、複数の端子５０のうち、隣接する二つを抜き出して図示されている。
【００３８】
上記端子５０は、前部側に角筒部５１、後部側に該角筒部５１の上板部から後方に延出する延出上板部５９とを有している。
【００３９】
角筒部５１は、ハウジング本体２０に形成された溝状の端子収容部２５に収容されるのに適合した外形そして寸法をなしており、前後で開口している。該角筒部５１の上板部５２はその前端で屈曲部５２Ａを有し、図３に見られるように、該屈曲部５２Ａから後方に向け接触腕５３が延びている。該接触腕５３は、板厚方向、すなわち図３にて上下方向に撓み弾性を有していて、上記屈曲部５２Ａから後方に向け端子配置板部２２へ近づく方向へ傾斜し、その先端近傍に上記端子配置板部２２に向けた突状をなす接触部５３Ａが形成されている。
【００４０】
上記上板部５２は、その前後方向で中間部と後部に切り起しにより前方に向け上記端子配置板部２２に近づくよう傾斜をなす規制腕５４とランス５５とを有しており、両者ともに上下方向に撓み弾性を有している。上記規制腕５４は、その先端（前端）が上記接触腕５３の先端（後端）の背面に近接して位置していて、上記接触腕５３の過度な撓み変形を規制しているとともに、その規制状態で該接触腕５３に剛性を与えている。
【００４１】
上記角筒部５１の底板部５６は、前端が当接端５６Ａをなし、前後方向で後述の側壁５７とほぼ同位置にあり、該側壁５７と相俟ってカバー体４０の前壁４１の背面と当接して端子５０の前方での位置規制を受ける。該底板部５６には、前後方向で上記接触腕５３の接触部５３Ａと同じ位置に、該接触部５３Ａの方へ向け突出屈曲された副接触部５６Ｂが設けられていて上記接触部５３Ａとともに喉部を形成し、端子孔４１Ａから進入する相手コネクタの端子を上記接触部５３Ａと該副接触部５６Ｂとによりその喉部で挟圧するように弾性力をもって接触する。
【００４２】
上記角筒部５１の両方の側壁５７の後部には、後方へ向け開口した係止切込部５８が前後に延びて形成されている。該係止切込部５８は端子５０が、カバー体４０のハウジング本体２０への取付け前の状況下で、上記コネクタ本体２０の端子収容部２５へ前方から後方へ向けて収められた際、上記ハウジング本体２０の端子係止部２３へ嵌まり込んで、その上下方向そして後方への移動が規制されて、それらの方向での端子５０の位置が定まる。端子５０が上記端子収容部２５へ収められる過程での該端子５０への後方への移動で、端子５０のランス５５は、その弾性のもとで、上記端子係止部２３を乗り越えて、該ランス５５の先端（前端）が該端子係止部２３の後端に近接して該端子係止部２３と当接可能な位置となる。かくして、端子５０は、カバー体４０がハウジング本体２０への取付け前の状態でも、上記ランス５５により端子５０は前方へ移動しないので、該端子５０はその係止切込部５８がハウジング本体２０の端子係止部２３から外れることがなく、ハウジング本体２０から脱落することはない。
【００４３】
上記角筒部５１の上板部５２から後方に延びる延出上板部５９は、上記ランス５５の基部となる後端位置から後方に延びる平板状の結線部５９Ａが形成されている。該結線部５９Ａはその上面に平型導体２Ａ，２Ｂの対応導体が半田やレーザ溶接等で結線される。
【００４４】
上記ハウジング本体２０の端子収容部２５に収容される端子５０に接続（結線）される平型導体２Ａ，２Ｂは、ハウジング本体２０の導体配置面２７Ａ，２７Ｂに面する側に、複数の端子に対応する対応導体（図示せず）が設けられており、該対応導体が設けられている面とは反対側の面には、該平型導体２Ａ，２Ｂのそれぞれの前端との間に前後方向に距離をもった位置に補強板２Ａ−０，２Ｂ−０が取り付けられている（図２参照）。この補強板２Ａ−０，２Ｂ−０が取り付けられた平型導体２Ａ，２Ｂは、この補強板２Ａ−０，２Ｂ−０の範囲で、上記ハウジング本体２０の突起状の導体係止部２９Ａ，２９Ｂに対応するコネクタ幅方向位置に、孔状の被係止部２Ａ−１，２Ｂ−１が穿設されている。この被係止部２Ａ−１，２Ｂ−１は、通常、上記導体係止部２９Ａ，２９Ｂに対して隙間をもって緩く嵌合係止するように設けられる。上記補強板２Ａ−０，２Ｂ−０よりも前方範囲で平型導体２Ａ，２Ｂは、補強板２Ａ−０，２Ｂ−０がないので撓みやすく、可撓性を有して曲がりやすくなっている。
【００４５】
次に、本実施形態のコネクタの使用要領について説明する。
【００４６】
先ず、端子５０を、カバー体４０が取り付けられる前のハウジング本体２０の端子収容部２５へ前方から後方に向け挿入する。該端子５０に設けられた弾性を有するランス５５はハウジング本体２０の端子係止部２３を乗り越えて該端子係止部２３の後方へ位置するようになる。一方、端子５０の側壁５７に形成された係止切込部５８が上記端子係止部２３に嵌まり込み停止する。上記ランス５５が上記端子係止部２３により端子５０の前方への移動が阻止されるので、上記係止切込部５８は端子係止部２３から前方へ向け移動して外れることがなく、かくして、端子５０は、ハウジング本体２０へカバー体４０が取り付けられる前の状態であっても、端子収容部２５内で前後方向での隙間により多少の移動自由度はあるものの、該ハウジング本体２０から脱落することはない。かくして、端子５０は、ハウジング本体２０により、所定ピッチで正規位置に配列される。
【００４７】
次に、二つの平型導体２Ａ，２Ｂを用意し、被係止部２Ａ−１，２Ｂ−１が位置している補強板２Ａ−０，２Ｂ−０よりも前方で、それぞれの平型導体２Ａ，２Ｂの複数の導体の前端部を露呈させるとともに、平型導体２Ａに対してハウジング本体２０の曲部受け空間２８Ａに対応する位置に曲部２Ａ−２をＵ字状に屈曲形成し、一方、平型導体２Ｂに対してはハウジング本体２０の曲部受け空間２８Ｂに対応する位置に曲部２Ｂ−２をＵ字状に屈曲形成する。平型導体２Ａ，２Ｂの曲部２Ａ−２，２Ｂ−２のこの屈曲形成は、後述の端子５０の結線部５９Ａへの結線後に行ってもよい。しかる後、平型導体２Ａ，２Ｂをハウジング本体２０へ配置する。この配置は、平型導体２Ａ，２Ｂの被係止部２Ａ−１，２Ｂ−１をハウジング本体２０の突起状の導体係止部２９Ａ，２９Ｂに係合させつつ平型導体２Ａ，２Ｂの補強板２Ａ−０，２Ｂ−０の部分を導体配置面２７Ａ，２７Ｂに配置すること、平型導体２Ａ，２Ｂの曲部２Ａ−２，２Ｂ−２をハウジング本体２０の曲部受け空間２８Ａ，２８Ｂへ収めることにより行われる。
【００４８】
平型導体２Ａ，２Ｂは、それらの被係止部２Ａ−１，２Ｂ−１がハウジング本体２０の導体係止部２９Ａ，２９Ｂに係合し導体配置面２７Ａ，２７Ｂ上に配置されると、孔状の被係止部２Ａ−１，２Ｂ−１の前縁（左縁）が導体係止部２９Ａ，２９Ｂの係止溝２９Ａ−１，２９Ｂ−１に進入し係止されるようになる（図３参照）。かかる状態では、平型導体の被係止部２Ａ−１，２Ｂ−１は上記係止溝２９Ａ−１，２９Ｂ−１内にあって導体係止部２９Ａ，２９Ｂと隙間をもって係止している。
【００４９】
しかる後、ハウジング本体２０に配置されている端子５０に対し、各導体を対応する端子５０の結線部５９Ａに結線する。
【００５０】
このように平型導体２Ａ，２Ｂ付端子５０がハウジング本体２０への端子収容部２５へ収められ、そしてこの端子５０に対して結線された平型導体２Ａ，２Ｂが導体配置面２７Ａ，２７Ｂに配置された状態で、角筒状のカバー体４０が前方から上記ハウジング本体２０へ取り付けられ、上記端子５０そして平型導体２Ａ，２Ｂの曲部２Ａ−２，２Ｂ−２、結線箇所そして被係止部２Ａ−１，２Ｂ−１を覆い、これらを外部から保護する（図３参照）、かくして、平型導体付電気コネクタを得る。
【００５１】
次に、このような平型導体付電気コネクタが使用に際して、平型導体あるいは端子に外力が作用したときの挙動について、図５にもとづき説明する。図５は、上方の平型導体２Ａの曲部２Ａ−２とその周辺についての拡大図で、上方の端子５０との関係を示している。下方の平型導体２Ｂの曲部２Ｂ−２については、上方の平型導体２Ａと同様の挙動であるのでその説明は省略する。
【００５２】
正規位置で曲部２Ａ−２がハウジング本体２０の曲部受け空間２８Ａに曲部２Ａ−２が収められている平型導体２Ａは、その孔状の被係止部２Ａ−１の前縁がハウジング本体２０の導体係止部２９Ａと前後方向で近接し僅かな隙間をもって嵌合した状態で、導体配置面２７Ａ上に位置している。
【００５３】
次に、平型導体２Ａが後方（図５（Ａ）にて右方）に外力を受けた場合には、上記平型導体２Ａは導体係止部２９Ａに対する隙間の分だけ移動し、その被係止部２Ａ−１の前縁が導体係止部２９Ａの係止溝２９Ａ−１と当接するようになる。しかし、平型導体２Ａは、曲部２Ａ−２を有しているので、その後方への移動量はこの曲部２Ａ−２での変位により吸収され、端子５０は後方に引かれることなく移動しない。
【００５４】
また、端子５０が相手コネクタの挿抜によりハウジング本体２０の端子収容部２５内での移動自由度の分だけ移動した場合、例えば相手コネクタの端子の挿入時に前方へ移動した場合（図５（Ｂ）参照）、この端子５０の移動量は、上記平型導体２Ａの曲部２Ａ−２での変位により吸収され、平型導体２Ａとの結線部５９Ａには何ら過度な応力は伝達されない。
【００５５】
さらに、平型導体２Ａが前方に向け外力を受けた場合（図５（Ｃ）参照）には、平型導体２Ａの被係止部２Ａ−１の前端が導体係止部２９Ａの後面に当接するまで移動することとなるが、その移動量は平型導体２Ａの曲部２Ａ−２での変位により吸収され、端子５０との結線部５９Ａへ過度な応力は伝達されることはない。
【００５６】
かくして、平型導体２Ａの導体係止部２９Ａに対する隙間があっても、平型導体２Ａが前方あるいは後方へ外力を受けた場合、さらには端子５０が相手コネクタの挿抜の際に、端子収容部２５における移動自由度の分だけ移動した場合のいずれにあっても、移動量が平型導体２Ａの曲部２Ａ−２で吸収され、その移動量が端子５０の結線部５９Ａへ過度な応力をもたらすことがないので、該結線箇所に何ら支障をきたすことはない。
【００５７】
＜第二実施形態＞
次に、図６にもとづき、本発明の二実施形態を説明する。
【００５８】
本実施形態では、カバー体４０が、角筒状の一部材ではなく、上下の二部材に分割されてハウジング本体２０へ上下から組み立てられる点で特徴がある。
【００５９】
本実施形態では、ハウジング本体２０は、その上下面に突状の導体係止部を有さずに係止部受凹部２９Ａ−２，２９Ｂ−２が形成されている点で図３のハウジング本体２０と異なるが、他の点では図３のハウジング本体２０と同じであり、同一符号を付しその説明を省略する。
【００６０】
カバー体４０は、図６（Ａ）に見られるごとく、上下で二分割されていて、上半カバー体４０Ａと下半カバー体４０Ｂとから成っている。上半カバー体４０Ａと下半カバー体４０Ｂはそれらの対向内面に上記ハウジング本体２０の係止部受凹部２９Ａ−２，２９Ｂ−２に進入係合する突状の導体係止部４０Ａ−１，４０Ｂ−１を有している点に特徴があり、この点以外については、上記上半カバー体４０Ａと下半カバー体４０Ｂがハウジング本体２０へ取付け組立てされた状態でのそれらの外面そして内面は図２及び図３のカバー体４０と同じである。なお、上半カバー体４０Ａと下半カバー体４０Ｂとは、上下方からハウジング本体２０へ取り付けられる関係上、ハウジング本体２０の後部に位置するロック片３１に形成されたロック孔３１Ａに嵌まるロック突起は、上半カバー体４０Ａに設けられたロック突起４６Ａ−１と下半カバー体４０Ｂに設けられたロック突起４６Ｂ−１とに分割して形成されている。また、本実施形態では、カバー体４０を上下に分割したので、上半カバー体４０Ａそして下半カバー体４０Ｂは、後部におけるロック突起４６Ａ−１，４６Ｂ−１に加え、前部にも側壁の内面側に突出する他のロック突起４６Ａ−２，４６Ｂ−２（内面側の突出部分は図には表れていない）を設け、ハウジング本体２０に形成されたロック孔３２に嵌まるようになっている。かくして、カバー体４０Ａそして下半カバー体４０Ｂは前部と後部とでしっかりとハウジング本体２０にロックされた状態で取り付けられる。
【００６１】
このような本実施形態にあっては、端子５０がハウジング本体２０に配列され、平型導体２Ａ，２Ｂが配置後に該端子５０の結線部５９Ａに半田結線された後に、上半カバー体４０Ａと下半カバー体４０Ｂがそれぞれ上下から上記ハウジング本体２０へ取り付けられる。
【００６２】
上半カバー体４０Ａそして下半カバー体４０Ｂのそれぞれの導体係止部４０Ａ−１そして４０Ｂ−１は平型導体２Ａ，２Ｂの孔状の被係止部２Ａ−１，２Ｂ−１を貫通した後に、ハウジング本体２０に対応して形成された係止部受凹部２９Ａ−２，２９Ｂ−２に進入する。かくして、平型導体２Ａ，２Ｂは、上記導体係止部４０Ａ−１，４０Ｂ−１により前後方向で移動が規制される。
【００６３】
本実施形態において上半カバー体４０と下半カバー体４０Ｂは、前端にて互いに蝶開を自在とするヒンジで連結されていて分離しないようにすることも可能である。
【００６４】
＜第三実施形態＞
前出の第一及び第二実施形態においては、ハウジング本体２０が平型導体２Ａ，２Ｂの曲部２Ａ−２，２Ｂ−２を収容するために凹部で曲部受け空間２８Ａ，２８Ｂを形成していたが、この空間は凹部として形成せずとも、本実施形態におけるごとく、上面側そして下面側の導体配置面と対応する結線部にレベル差を設けることで段状の空間として形成してもよい。
【００６５】
本実施形態について、上面側を示す図７（Ａ）において、上記ハウジング本体２０の導体係止部２９Ａはハウジング本体２０の側壁の内面からコネクタ幅方向で内方に向け突出して形成されており、縦断面を示す図７（Ａ）では島状をなしている。該導体係止部２９Ａには、前出の図５（Ａ）の場合と同様に、その前面に係止溝２９Ａ−１が形成されている。また、平型導体２Ａが配置される導体配置面２７Ａは、上下方向で、上記係止溝２９Ａの溝下面とレベルが一致して位置しコネクタ幅方向に連続した面を成している。このような導体係止部２９Ａと係止する平型導体は、側縁に突出部あるいは切欠部で被係止部が形成されている。
【００６６】
上記導体配置面２７Ａの前端は段状に没していて、この段部による没した空間で曲部受け空間２８Ａが形成されている。この曲部受け空間２８Ａの下部は、前方に延び前端で開口するようにハウジング本体２０に形成された導体挿通溝２０Ａに連通している。該導体挿通溝２０Ａの上内面を形成するハウジング本体２０の前端上壁２０Ｂはその上面が段状をなしていて、第一実施形態と同様なカバー体４０の対応部と当接して該カバー体４０の前後方向での位置を定めている。
【００６７】
端子５０の結線部５９Ａは、ランス５５の基部よりも若干下方に位置していて、上記カバー体４０の内壁との間に間隙を形成し、結線部分が該カバー体４０の内壁と接触しないようになっている。
【００６８】
かかる図７（Ａ）の例では、導体係止部２９Ａで係止する平型導体２Ａの補強板２Ａ−０よりも前方の部分は、クランク状に屈曲された曲部２Ａ−２が上記段部で形成された曲部受け空間２８Ａに収められ、該曲部２Ａ−２よりも前方部分が上記導体挿通溝２０Ａを貫通して突出し、この前端が端子５０の結線部５９Ａに結線される。
【００６９】
このような図７（Ａ）の例では、例えば、端子５０が移動自由度の分だけ後方に移動すると、図７（Ｂ）のように曲部２Ａ−２がＳ字状に変形し、さらに、例えば、平型導体２Ａが前方に向け外力を受けたときには、図７（Ｃ）のように、Ｓ字状をなす曲部２Ａ−２の上部がハウジング本体２０の上記前端上壁２０Ｂの後端面に当接するような平型導体２Ａの移動を生ずるが、図７（Ｂ），（Ｃ）のいずれの場合も、端子５０そして平型導体２Ａの移動量は曲部２Ａ−２の変形あるいは移動により吸収される。
【００７０】
本発明において、図示の例では、上面側の曲部受け空間と下面側の曲部受け空間が前後方向でずれて位置していたが、前後方向で同一位置に設けてもよい。
【符号の説明】
【００７１】
１  平型導体付コネクタ                  ２９Ａ，２９Ｂ  導体係止部
２（２Ａ，２Ｂ）  平型導体              ４０  カバー体
２Ａ−１，２Ｂ−１  被係止部            ４０Ａ，４０Ｂ  半カバー体
１０  ハウジング                        ４０Ａ−１，４０Ｂ−１  導体係止部
２０  ハウジング本体                    ５０  端子
２５  端子収容部                        ５３Ａ  接触部
２７Ａ，２７Ｂ  導体配置面              ５９Ａ  結線部
２８Ａ，２８Ｂ  曲部受け空間
【図１】
2016076318.tif 000003
【図２】
2016076318.tif 000004
【図３】
2016076318.tif 000005
【図４】
2016076318.tif 000006
【図５】
2016076318.tif 000007
【図６】
2016076318.tif 000008
【図７】
2016076318.tif 000009